(57)【要約】  空間環境制御システム（１００）は、空間中に存在する病原体を検出する病原体センサ（１２０）と、空間の温度、湿度、塩素濃度及びオゾン濃度の少なくとも１つを示す環境値を検出する環境センサ群（１３０）と、空間に存在する人を検知する人センサ（１４０）と、空間の環境の調整を行う調整機器群（１５０）と、調整機器群（１５０）を制御する制御部（１６４）とを備え、制御部（１６４）は、病原体センサ（１２０）によって検出された病原体濃度が所定の閾値より高い場合において、（ａ）人センサ（１４０）によって空間に人の存在が検知されているとき、環境値の許容範囲を第１の範囲に設定し、（ｂ）人センサ（１４０）によって空間に人の存在が検知されていないとき、環境値の許容範囲を、第１の範囲より広い第２の範囲に設定し、設定した第１又は第２の範囲内で環境値が収まるように調整機器群（１５０）を制御する。
2019142599.tif 000002
【特許請求の範囲】
【請求項１】
空間中に存在する病原体を検出する病原体センサと、
前記空間の温度、湿度、塩素濃度及びオゾン濃度の少なくとも１つを示す環境値を検出する環境センサと、
前記空間に存在する人を検知する人センサと、
前記空間の環境の調整を行う調整機器と、
前記調整機器を制御する制御部とを備え、
前記制御部は、
前記病原体センサによって検出された病原体の前記空間中の濃度である病原体濃度が所定の閾値より高い場合において、
（ａ）前記人センサによって前記空間に人の存在が検知されているとき、前記環境値の許容範囲を第１の範囲に設定し、設定した第１の範囲内で前記環境値が収まるように前記調整機器を制御し、
（ｂ）前記人センサによって前記空間に人の存在が検知されていないとき、前記環境値の許容範囲を、前記第１の範囲より広い第２の範囲に設定し、設定した第２の範囲内で前記環境値が収まるように前記調整機器を制御する
空間環境制御システム。
【請求項２】
前記第２の範囲は、無制限の範囲である
請求項１に記載の空間環境制御システム。
【請求項３】
前記制御部は、前記（ｂ）において、さらに、前記空間に人が入ってくる時刻を推定し、推定した時刻までに前記環境値が前記第１の範囲に収まるように前記調整機器を制御する
請求項１又は２に記載の空間環境制御システム。
【請求項４】
前記制御部は、さらに、前記空間の使用予定、及び、前記人の行動予定の少なくとも一方を示すスケジュール情報を取得し、
前記（ｂ）において、取得したスケジュール情報に基づいて前記時刻を推定する
請求項３に記載の空間環境制御システム。
【請求項５】
前記空間環境制御システムは、前記調整機器を少なくとも１つ備え、
少なくとも１つの前記調整機器は、前記空間の温度を調整する温度調整機器、前記空間の湿度を調整する湿度調整機器、前記空間に次亜塩素酸を放出する次亜塩素酸発生器、及び、前記空間にオゾンを放出するオゾン発生器の少なくとも１つを含む
請求項１〜４のいずれか１項に記載の空間環境制御システム。
【請求項６】
空間の環境の調整を行う調整機器を制御する制御部を備え、
前記制御部は、
前記空間中に存在する病原体を検出する病原体センサによって検出された病原体の前記空間中の濃度である病原体濃度が所定の閾値より高い場合において、
（ａ）人センサによって前記空間に人の存在が検知されているとき、前記空間の温度、湿度、塩素濃度及びオゾン濃度の少なくとも１つを示す環境値の許容範囲を第１の範囲に設定し、設定した第１の範囲内で前記環境値が収まるように前記調整機器を制御し、
（ｂ）前記人センサによって前記空間に人の存在が検知されていないとき、前記環境値の許容範囲を、前記第１の範囲より広い第２の範囲に設定し、設定した第２の範囲内で前記環境値が収まるように前記調整機器を制御する
空間環境制御装置。
【請求項７】
空間中に存在する病原体を検出する病原体センサによって検出された病原体の前記空間中の濃度である病原体濃度が所定の閾値より高い場合において、
（ａ）人センサによって前記空間に人の存在が検知されているとき、前記空間の温度、湿度、塩素濃度及びオゾン濃度の少なくとも１つを示す環境値の許容範囲を第１の範囲に設定し、
（ｂ）前記人センサによって前記空間に人の存在が検知されていないとき、前記環境値の許容範囲を、前記第１の範囲より広い第２の範囲に設定し、
設定した許容範囲内で前記環境値が収まるように、前記空間の環境の調整を行う調整機器を制御する
空間環境制御方法。
【請求項８】
請求項７に記載の空間環境制御方法をコンピュータに実行させるためのプログラム。
【発明の詳細な説明】
【技術分野】
【０００１】
本開示は、空間環境制御システム、空間環境制御装置及び空間環境制御方法に関する。
【背景技術】
【０００２】
従来、空間内の空気に殺菌剤などの添加物を添加することで、空間の殺菌などを行う空調制御システムが知られている（例えば、特許文献１を参照）。
【先行技術文献】
【特許文献】
【０００３】
【特許文献１】特開２０１６−１１４２６０号公報
【発明の概要】
【発明が解決しようとする課題】
【０００４】
しかしながら、殺菌剤などの添加量が多すぎる場合には、人にとっての快適な環境が損なわれる。【０００５】
そこで、本開示は、人にとっての快適性と病原体の感染力の弱体化とを両立させることができる空間環境制御システム、空間環境制御装置及び空間環境制御方法を提供する。
【課題を解決するための手段】
【０００６】
上記課題を解決するため、本開示の一態様に係る空間環境制御システムは、空間中に存在する病原体を検出する病原体センサと、前記空間の温度、湿度、塩素濃度及びオゾン濃度の少なくとも１つを示す環境値を検出する環境センサと、前記空間に存在する人を検知する人センサと、前記空間の環境の調整を行う調整機器と、前記調整機器を制御する制御部とを備え、前記制御部は、前記病原体センサによって検出された病原体の前記空間中の濃度である病原体濃度が所定の閾値より高い場合において、（ａ）前記人センサによって前記空間に人の存在が検知されているとき、前記環境値の許容範囲を第１の範囲に設定し、設定した第１の範囲内で前記環境値が収まるように前記調整機器を制御し、（ｂ）前記人センサによって前記空間に人の存在が検知されていないとき、前記環境値の許容範囲を、前記第１の範囲より広い第２の範囲に設定し、設定した第２の範囲内で前記環境値が収まるように前記調整機器を制御する。【０００７】
また、本開示の一態様に係る空間環境制御装置は、空間の環境の調整を行う調整機器を制御する制御部を備え、前記制御部は、前記空間中に存在する病原体を検出する病原体センサによって検出された病原体の前記空間中の濃度である病原体濃度が所定の閾値より高い場合において、（ａ）人センサによって前記空間に人の存在が検知されているとき、前記空間の温度、湿度、塩素濃度及びオゾン濃度の少なくとも１つを示す環境値の許容範囲を第１の範囲に設定し、設定した第１の範囲内で前記環境値が収まるように前記調整機器を制御し、（ｂ）前記人センサによって前記空間に人の存在が検知されていないとき、前記環境値の許容範囲を、前記第１の範囲より広い第２の範囲に設定し、設定した第２の範囲内で前記環境値が収まるように前記調整機器を制御する。【０００８】
また、本開示の一態様に係る空間環境制御方法は、空間中に存在する病原体を検出する病原体センサによって検出された病原体の前記空間中の濃度である病原体濃度が所定の閾値より高い場合において、（ａ）人センサによって前記空間に人の存在が検知されているとき、前記空間の温度、湿度、塩素濃度及びオゾン濃度の少なくとも１つを示す環境値の許容範囲を第１の範囲に設定し、（ｂ）前記人センサによって前記空間に人の存在が検知されていないとき、前記環境値の許容範囲を、前記第１の範囲より広い第２の範囲に設定し、設定した許容範囲内で前記環境値が収まるように、前記空間の環境の調整を行う調整機器を制御する。【０００９】
また、本開示の一態様は、上記空間環境制御方法をコンピュータに実行させるためのプログラムとして実現することができる。あるいは、当該プログラムを格納したコンピュータ読み取り可能な記録媒体として実現することもできる。
【発明の効果】
【００１０】
本開示によれば、人にとっての快適性と病原体の感染力の弱体化とを両立させることができる。
【図面の簡単な説明】
【００１１】
【図１】図１は、各実施の形態に係る空間環境制御システムによる環境の制御対象になる空間を示す図である。
【図２】図２は、実施の形態１に係る空間環境制御システムの構成を示すブロック図である。
【図３】図３は、実施の形態１に係る空間環境制御システムの動作を示すフローチャートである。
【図４】図４は、実施の形態１に係る空間環境制御システムの動作中の空間の温度の時間変化を示す図である。
【図５】図５は、実施の形態１に係る空間環境制御システムの動作中の空間の湿度の時間変化を示す図である。
【図６】図６は、実施の形態１に係る空間環境制御システムの動作中の空間の塩素濃度の時間変化を示す図である。
【図７】図７は、実施の形態１の変形例１に係る空間環境制御システムの動作中の空間の温度の時間変化を示す図である。
【図８】図８は、実施の形態１の変形例２に係る空間環境制御システムの動作を示すフローチャートである。
【図９】図９は、実施の形態１の変形例２に係る空間環境制御システムの動作中の空間の温度の時間変化を示す図である。
【図１０】図１０は、実施の形態２に係る空間環境制御システムの構成を示すブロック図である。
【図１１】図１１は、実施の形態２に係る空間環境制御システムが利用するスケジュール情報の一例を示す図である。
【図１２】図１２は、実施の形態２に係る空間環境制御システムの動作を示すフローチャートである。
【図１３】図１３は、実施の形態２に係る空間環境制御システムにおける期間毎の動作モードを示す図である。
【図１４】図１４は、実施の形態２に係る空間環境制御システムにおける目標時刻の入力画面の一例を示す図である。
【発明を実施するための形態】
【００１２】
（本開示の概要）
病原体には、空間の環境に応じて感染力の強弱がある。このため、調整機器が空間の環境の調整を行うことで、病原体の感染力を弱めることができる。例えば、空間の温度又は湿度を高くすることで、病原体の拡散を抑えることができ、感染力を弱めることができる。また、例えば、塩素濃度又はオゾン濃度を高くすることで、病原体を除去することができ、感染力を弱めることができる。
【００１３】
一方で、温度又は湿度を高くすることにより、人にとって快適な環境が損なわれる恐れがある。同様に、塩素濃度又はオゾン濃度を高くすることにより、塩素臭又はオゾン臭が強まるので、快適な環境が損なわれる恐れがある。
【００１４】
そこで、本開示の一態様に係る空間環境制御システムは、空間中に存在する病原体を検出する病原体センサと、前記空間の温度、湿度、塩素濃度及びオゾン濃度の少なくとも１つを示す環境値を検出する環境センサと、前記空間に存在する人を検知する人センサと、前記空間の環境の調整を行う調整機器と、前記調整機器を制御する制御部とを備え、前記制御部は、前記病原体センサによって検出された病原体の前記空間中の濃度である病原体濃度が所定の閾値より高い場合において、（ａ）前記人センサによって前記空間に人の存在が検知されているとき、前記環境値の許容範囲を第１の範囲に設定し、設定した第１の範囲内で前記環境値が収まるように前記調整機器を制御し、（ｂ）前記人センサによって前記空間に人の存在が検知されていないとき、前記環境値の許容範囲を、前記第１の範囲より広い第２の範囲に設定し、設定した第２の範囲内で前記環境値が収まるように前記調整機器を制御する。
【００１５】
これにより、人の存在及び不在に基づいて環境値の許容範囲が変更される。人が存在するときには許容範囲を狭くし、人にとって快適な環境を維持することができる。一方で、人が存在しないときには許容範囲を広くし、浄化を優先して病原体の感染力を弱体化させる。このように、本態様に係る空間環境制御システムによれば、人にとっての快適性と病原体の感染力の弱体化とを両立させることができる。
【００１６】
また、例えば、前記第２の範囲は、無制限の範囲であってもよい。
【００１７】
これにより、人が存在しない場合には、環境値の許容範囲が無制限の範囲になるので、例えば、高温、高湿、臭気物質の増加などの人にとっては不快な環境になるまで、病原体の感染力の弱体化を優先させることができる。つまり、人が存在していない間に、空間に浮遊する病原体の感染力を徹底的に弱体化させることができる。これにより、人が存在している間には、病原体の感染力が弱体化された状態で、人にとっての快適な環境を維持することができる。
【００１８】
また、例えば、前記制御部は、前記（ｂ）において、さらに、前記空間に人が入ってくる時刻を推定し、推定した時刻までに前記環境値が前記第１の範囲に収まるように前記調整機器を制御してもよい。
【００１９】
これにより、人が空間に入ってくる時刻には、空間の環境を人にとって快適な環境に戻すことができる。したがって、人が空間に入ってきたときに、高温、高湿又は臭い残りなどの不快さを感じさせることを抑制することができる。
【００２０】
また、例えば、前記制御部は、さらに、前記空間の使用予定、及び、前記人の行動予定の少なくとも一方を示すスケジュール情報を取得し、前記（ｂ）において、取得したスケジュール情報に基づいて前記時刻を推定してもよい。
【００２１】
これにより、スケジュール情報に基づいて人が入ってくる目標時刻を推定するので、推定精度が高められる。推定精度が高まることにより、病原体の感染力の弱体化を行うための調整機器の制御、及び、病原体の感染力の弱体化を行ったために悪化した環境の回復を行うための調整機器の制御を目標時刻に合わせて行うことができる。したがって、人が入ってくるまでに病原体の感染力を十分に弱体化させることができ、かつ、人が空間に入ってきたときに、高温、高湿又は臭い残りなどの不快さを感じさせることを抑制することができる。
【００２２】
また、例えば、前記空間環境制御システムは、前記調整機器を少なくとも１つ備え、少なくとも１つの前記調整機器は、前記空間の温度を調整する温度調整機器、前記空間の湿度を調整する湿度調整機器、前記空間に次亜塩素酸を放出する次亜塩素酸発生器、及び、前記空間にオゾンを放出するオゾン発生器の少なくとも１つを含んでもよい。
【００２３】
これにより、例えば、空間の温度又は湿度を高くすることで、病原体の拡散を抑えることができ、感染力を弱めることができる。また、空間の温度又は湿度を所定の範囲内で保つことで、人にとって快適な環境を維持することができる。また、例えば、次亜塩素酸又はオゾンを空間に放出して空間の塩素濃度又はオゾン濃度を高くすることで、病原体を除去することができ、感染力を弱めることができる。また、次亜塩素酸又はオゾンの放出を停止することで、不快な臭いを抑制し、人にとって快適な環境を維持することができる。このように、本態様に係る空間環境制御システムは、温度、湿度、塩素濃度又はオゾン濃度を調整する調整機器を少なくとも１つ備えることで、人にとっての快適性と病原体の感染力の弱体化との両立を効果的に行うことができる。
【００２４】
また、例えば、本開示の一態様に係る空間環境制御装置は、空間の環境の調整を行う調整機器を制御する制御部を備え、前記制御部は、前記空間中に存在する病原体を検出する病原体センサによって検出された病原体の前記空間中の濃度である病原体濃度が所定の閾値より高い場合において、（ａ）人センサによって前記空間に人の存在が検知されているとき、前記空間の温度、湿度、塩素濃度及びオゾン濃度の少なくとも１つを示す環境値の許容範囲を第１の範囲に設定し、設定した第１の範囲内で前記環境値が収まるように前記調整機器を制御し、（ｂ）前記人センサによって前記空間に人の存在が検知されていないとき、前記環境値の許容範囲を、前記第１の範囲より広い第２の範囲に設定し、設定した第２の範囲内で前記環境値が収まるように前記調整機器を制御する。
【００２５】
これにより、上述した空間環境制御システムと同様に、人にとっての快適性と病原体の感染力の弱体化とを両立させることができる。
【００２６】
また、例えば、本開示の一態様に係る空間環境制御方法は、空間中に存在する病原体を検出する病原体センサによって検出された病原体の前記空間中の濃度である病原体濃度が所定の閾値より高い場合において、（ａ）人センサによって前記空間に人の存在が検知されているとき、前記空間の温度、湿度、塩素濃度及びオゾン濃度の少なくとも１つを示す環境値の許容範囲を第１の範囲に設定し、（ｂ）前記人センサによって前記空間に人の存在が検知されていないとき、前記環境値の許容範囲を、前記第１の範囲より広い第２の範囲に設定し、設定した許容範囲内で前記環境値が収まるように、前記空間の環境の調整を行う調整機器を制御する。また、本開示の一態様に係るプログラムは、上記空間環境制御方法をコンピュータに実行させるためのプログラムである。
【００２７】
これにより、上述した空間環境制御システムと同様に、人にとっての快適性と病原体の感染力の弱体化とを両立させることができる。
【００２８】
以下では、実施の形態について、図面を参照しながら具体的に説明する。
【００２９】
なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、独立請求項に記載されていない構成要素については、任意の構成要素として説明される。
【００３０】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００３１】
［制御対象になる空間］
まず、各実施の形態に係る空間環境制御システムによる環境の制御対象となる空間の一例について、図１を用いて説明する。図１は、各実施の形態に係る空間環境制御システムによる環境の制御対象になる空間１０を示す図である。
【００３２】
図１に示されるように、空間１０は、屋内の空間であり、例えば一軒家、マンション、オフィス、病院、介護施設などの建物の一部屋の内部空間である。空間１０は、ドア５３及び窓５４などを開けることで、他の空間又は屋外と繋がり、人の出入り及び空気の入れ換えなどが可能である。
【００３３】
図１に示されるように、空間１０には、病原体１１が存在している。具体的には、病原体１１は、空間１０中を浮遊している。病原体１１は、人に病気を引き起こす細菌などの微生物又はウイルスである。具体的には、病原体１１には、結核菌若しくはＭＲＳＡ（メチシリン耐性黄色ブドウ球菌）などの細菌、又は、インフルエンザウイルス、ノロウイルス、ＲＳウイルス若しくは麻しんウイルスなどのウイルスが含まれる。
【００３４】
空間１０には、病原体１１を検出する病原体センサ２０が配置されている。また、空間１０には、温湿度センサ３０及び空気質センサ３１が配置されている。温湿度センサ３０は、空間１０の温度と湿度とを検出する環境センサの一例である。空気質センサ３１は、空間１０の塩素濃度又はオゾン濃度を検出する環境センサの一例である。
【００３５】
さらに、空間１０には、空間１０に存在する人を検出する人センサ４０が設けられている。人センサ４０は、例えば赤外線を利用した人感センサであるが、これに限らない。人センサ４０は、可視光を電気信号に変換するイメージセンサを有するカメラでもよい。あるいは、人センサ４０は、熱画像センサなどでもよい。
【００３６】
図１に示されるように、空間１０には、空間１０の環境の調整を行う調整機器の一例であるエアコン５０及び浄化物質発生器５１が配置されている。また、ドア５３、窓５４及びブラインド５５がそれぞれ、調整機器の一例として設けられている。さらに、空間１０には、これらの調整機器を制御する制御装置６０が配置されている。
【００３７】
エアコン５０は、例えば、空間１０の温度を調整する温度調整機器の一例である。エアコン５０は、空間１０の湿度を調整する湿度調整機器の一例でもある。エアコン５０は、制御装置６０による制御に基づいて、空間１０の温度及び湿度の少なくとも一方を調整する。
【００３８】
浄化物質発生器５１は、浄化物質５２を空間１０に放出する。浄化物質５２は、具体的には、霧状の液体又は気体であり、病原体１１を分解するなどして除去することができる物質である。例えば、浄化物質５２は、ミスト化された次亜塩素酸水又はオゾン水である。つまり、浄化物質発生器５１は、空間１０に次亜塩素酸を放出する次亜塩素酸発生器の一例、又は、空間１０にオゾンを放出するオゾン発生器の一例である。浄化物質発生器５１は、制御装置６０による制御に基づいて次亜塩素酸又はオゾンの放出量を調整する。放出量に応じて、空間１０の塩素濃度又はオゾン濃度が上昇し、又は、その上昇が抑制される。
【００３９】
ドア５３、窓５４及びブラインド５５はそれぞれ、制御装置６０によって開閉が制御される。ドア５３及び窓５４を開けることで、空間１０の空気の入れ換えを行うことができる。空気の入れ換えによって、空間１０中を浮遊する病原体１１を屋外又は他の空間に放出させ、空間１０中の病原体１１の濃度を低くすることができる。また、空気の入れ換えによって、空間１０中に放出した浄化物質５２を屋外又は他の空間に放出させ、空間１０中の浄化物質５２の濃度を低くすることができる。
【００４０】
また、ブラインド５５の開閉によって、太陽光の採光量を調整することができる。太陽光には紫外光が含まれているので、空間１０内に採り込む紫外光の光量を調整することができる。採り込まれた紫外光が病原体１１に照射されることで病原体１１が分解され、空間１０中の病原体１１の濃度を低くすることができる。
【００４１】
制御装置６０は、空間１０の環境を調整する１以上の調整機器を制御する。制御装置６０は、例えば、空間１０の壁などに設置された端末機器である。制御装置６０は、エアコン５０、浄化物質発生器５１、ドア５３、窓５４及びブラインド５５の各々と有線又は無線で接続されており、それぞれの動作を制御する。
【００４２】
以下で説明する各実施の形態に係る空間環境制御システムは、空間１０の環境を制御する。空間１０の環境には、例えば、空間１０の温度及び湿度、空間１０を満たす空気に含まれる塩素濃度及びオゾン濃度、並びに、空間１０内を照らす照明光又は太陽光の光量などが含まれる。
【００４３】
空間環境制御システムは、病原体センサ２０、環境センサ及び人センサ４０の検出結果に基づいて、複数の調整機器の少なくとも１つを制御する。これにより、空間環境制御システムは、空間１０の環境を調整し、病原体１１の感染力を弱体化させる。また、空間環境制御システムは、複数の調整機器の少なくとも１つを制御することで、空間１０に存在する人にとっての快適な環境を形成する。詳細な動作については、各実施の形態で説明する。
【００４４】
なお、図１に示される空間１０内の各センサ及び各機器の配置は一例にすぎない。例えば、エアコン５０及び浄化物質発生器５１の少なくとも一方は配置されていなくてもよい。あるいは、浄化物質発生器５１として、次亜塩素酸発生器とオゾン発生器との両方が配置されていてもよい。
【００４５】
また、空間１０には、ドア５３及び窓５４の少なくとも一方は設けられていなくてもよい。窓５４には、ブラインド５５が設けられていなくてもよい。病原体センサ２０、温湿度センサ３０、空気質センサ３１及び人センサ４０の少なくとも１つは、エアコン５０及び浄化物質発生器５１の少なくとも一方に設けられていてもよい。
【００４６】
空間１０には、温湿度センサ３０の代わりに、温度のみを検出する温度センサが配置されていてもよい。あるいは、空間１０には、湿度のみを検出する湿度センサが配置されていてもよい。空間１０には、塩素濃度センサのみが配置されていてもよく、オゾン濃度センサのみが配置されていてもよい。また、空間１０には、空間１０中を浮遊する粉塵の量を検出する粉塵量センサが配置されていてもよい。
【００４７】
また、図示しないが、空間１０には、紫外光を発するＵＶ光源が配置されていてもよい。空間１０には、空間１０内の空気と屋外又は他の空間の空気とを入れ換える換気装置が配置されていてもよい。
【００４８】
また、制御装置６０は、空間１０に配置されていなくてもよく、空間１０の外側に設けられていてもよい。制御装置６０と各センサ及び各調整機器とは、有線又は無線で通信可能であってもよい。
【００４９】
（実施の形態１）
続いて、実施の形態１について説明する。
【００５０】
［構成］
まず、本実施の形態に係る空間環境制御システムの構成について、図２を用いて説明する。
【００５１】
図２は、本実施の形態に係る空間環境制御システム１００の構成を示すブロック図である。図２に示されるように、空間環境制御システム１００は、病原体センサ１２０と、環境センサ群１３０と、人センサ１４０と、調整機器群１５０と、空間環境制御装置１６０とを備える。本実施の形態に係る空間環境制御システム１００は、空間１０の温度、湿度、塩素濃度、オゾン濃度及びＵＶ照射量の少なくとも１つを制御する。
【００５２】
病原体センサ１２０は、空間１０中に存在する病原体１１を検出する。具体的には、病原体センサ１２０は、空間１０中の空気を一定量捕集し、捕集した空気に含まれる病原体１１の個体数をカウントする。病原体センサ１２０は、検出結果として、病原体濃度を示す病原体濃度情報を空間環境制御装置１６０に出力する。病原体濃度は、例えば、単位体積当たりの病原体１１の個体数で表される。病原体センサ１２０は、例えば、図１に示される病原体センサ２０に相当する。
【００５３】
環境センサ群１３０には、図２に示されるように、温度センサ１３１と、湿度センサ１３２と、塩素濃度センサ１３３と、オゾン濃度センサ１３４と、ＣＯ２濃度センサ１３５と、ＵＶ照度センサ１３６と、粉塵量センサ１３７とが含まれる。
【００５４】
温度センサ１３１は、空間１０の温度を環境値の一例として検出する環境センサの一例である。温度センサ１３１は、検出した温度を示す温度情報を空間環境制御装置１６０に出力する。温度センサ１３１は、例えば、図１に示される温湿度センサ３０に相当する。
【００５５】
湿度センサ１３２は、空間１０の湿度を環境値の一例として検出する環境センサの一例である。湿度センサ１３２は、検出した湿度を示す湿度情報を空間環境制御装置１６０に出力する。湿度センサ１３２は、例えば、図１に示される温湿度センサ３０に相当する。
【００５６】
塩素濃度センサ１３３は、空間１０の塩素濃度を環境値の一例として検出する環境センサの一例である。塩素濃度センサ１３３は、検出した塩素濃度を示す塩素濃度情報を空間環境制御装置１６０に出力する。塩素濃度センサ１３３は、例えば、図１に示される空気質センサ３１に相当する。
【００５７】
オゾン濃度センサ１３４は、空間１０のオゾン濃度を環境値の一例として検出する環境センサの一例である。オゾン濃度センサ１３４は、検出したオゾン濃度を示すオゾン濃度情報を空間環境制御装置１６０に出力する。オゾン濃度センサ１３４は、例えば、図１に示される空気質センサ３１に相当する。
【００５８】
ＣＯ２濃度センサ１３５は、空間１０の二酸化炭素濃度を環境値の一例として検出する環境センサの一例である。ＣＯ２濃度センサ１３５は、検出した二酸化炭素濃度を示すＣＯ２情報を空間環境制御装置１６０に出力する。ＣＯ２濃度センサ１３５は、例えば、図１に示される空気質センサ３１に相当する。
【００５９】
ＵＶ照度センサ１３６は、空間１０内に照射される紫外光の照射量を環境値の一例として検出する環境センサの一例である。ＵＶ照度センサ１３６は、検出した紫外光の照射量を示すＵＶ情報を空間環境制御装置１６０に出力する。
【００６０】
粉塵量センサ１３７は、空間１０内に浮遊する粉塵の量を環境値の一例として検出する環境値センサの一例である。粉塵量センサ１３７は、検出した粉塵量を示す粉塵量情報を空間環境制御装置１６０に出力する。
【００６１】
なお、環境センサ群１３０には、温度センサ１３１、湿度センサ１３２、塩素濃度センサ１３３及びオゾン濃度センサ１３４の少なくとも１つが含まれていればよい。環境センサ群１３０には、ＣＯ２濃度センサ１３５、ＵＶ照度センサ１３６及び粉塵量センサ１３７が含まれていなくてもよい。
【００６２】
人センサ１４０は、空間１０に存在する人を検出する。人センサ１４０は、空間１０に人が存在するか否かを示す存在情報を人情報として出力する。人情報は、空間１０に存在する人に関する情報である。人センサ１４０は、例えば、図１に示される人センサ４０に相当する。
【００６３】
調整機器群１５０は、空間環境制御装置１６０による制御に基づいて空間１０の環境を調整する複数の調整機器からなる群である。図２に示されるように、調整機器群１５０には、温度調整機器１５１と、湿度調整機器１５２と、次亜塩素酸発生器１５３と、オゾン発生器１５４と、換気装置１５５と、ＵＶ光源１５６とが含まれる。
【００６４】
温度調整機器１５１は、空間１０の温度を調整する機器である。具体的には、温度調整機器１５１は、空間１０の暖房又は冷房を行うことで、空間１０の温度を上昇させ、かつ／又は、低下させる。温度調整機器１５１は、例えば、図１に示されるエアコン５０に相当する。なお、温度調整機器１５１は、ファンヒーター、ストーブ、ハロゲンヒーター、カーボンヒーターなどの暖房機器、及び、クーラー、冷風扇、冷風機などの冷房機器の少なくとも１つでもよい。
【００６５】
湿度調整機器１５２は、空間１０の湿度を調整する機器である。具体的には、湿度調整機器１５２は、空間１０の加湿又は除湿を行うことで、空間１０の湿度を上昇させ、かつ／又は、低下させる。湿度調整機器１５２は、例えば、図１に示されるエアコン５０に相当する。なお、湿度調整機器１５２は、加湿器及び除湿器の少なくとも１つでもよい。
【００６６】
次亜塩素酸発生器１５３は、空間１０に次亜塩素酸を放出する機器である。例えば、次亜塩素酸発生器１５３は、次亜塩素酸水を生成し、生成した次亜塩素酸水をミスト化して放出する。次亜塩素酸発生器１５３は、次亜塩素酸水の放出量を調整することにより、空間１０の塩素濃度を上昇させる。次亜塩素酸発生器１５３は、例えば図１に示される浄化物質発生器５１に相当する。
【００６７】
オゾン発生器１５４は、空間１０にオゾンを放出する機器である。例えば、オゾン発生器１５４は、オゾン水を生成し、生成したオゾン水をミスト化して放出する。オゾン発生器１５４は、オゾン水の放出量を調整することにより、空間１０のオゾン濃度を上昇させる。オゾン発生器１５４は、例えば図１に示される浄化物質発生器５１に相当する。
【００６８】
換気装置１５５は、空間１０内の空気を屋外又はその他の空間と入れ換える装置である。例えば、換気装置１５５は、次亜塩素酸の濃度が高まった空気を外気と入れ換えることで、空間１０中の塩素濃度を低下させる。
【００６９】
換気装置１５５は、図１に示されるドア５３及び窓５４などに相当する。あるいは、換気装置１５５は、換気扇又は専用の換気設備などであってもよい。また、空間環境制御システム１００は、換気装置１５５の代わりに、空気清浄機を備えてもよい。
【００７０】
ＵＶ光源１５６は、空間１０内に紫外光を照射するための光源である。ＵＶ光源１５６は、紫外光を発する放電ランプ又はＬＥＤ（Light Emitting Diode）などである。ＵＶ光源１５６は、例えば、制御部１６４によって点灯及び消灯が制御される。
【００７１】
なお、ＵＶ光源１５６から発せられる紫外光の代わりに、太陽光を利用してもよい。例えば、制御部１６４は、図１に示されるブラインド５５の開閉によって太陽光の採光量を調整してもよい。
【００７２】
空間環境制御装置１６０は、病原体センサ１２０、環境センサ群１３０及び人センサ１４０の検出結果に基づいて、調整機器群１５０に含まれる複数の調整機器の少なくとも１つを制御する。空間環境制御装置１６０は、例えば、図１に示される制御装置６０に相当する。図２に示されるように、空間環境制御装置１６０は、病原体濃度情報取得部１６１と、環境情報取得部１６２と、人情報取得部１６３と、制御部１６４とを備える。
【００７３】
病原体濃度情報取得部１６１は、病原体センサ１２０から出力される病原体濃度情報を取得する。例えば、病原体濃度情報取得部１６１は、病原体センサ１２０と有線又は無線で接続された通信インタフェースで実現される。
【００７４】
環境情報取得部１６２は、環境センサ群１３０に含まれる複数の環境センサの各々から出力される環境情報を取得する。環境情報は、温度情報、湿度情報、塩素濃度情報、オゾン濃度情報、ＣＯ２濃度情報、ＵＶ情報及び粉塵量情報の少なくとも１つを含んでいる。例えば、環境情報取得部１６２は、複数の環境センサの各々と有線又は無線で接続された通信インタフェースで実現される。
【００７５】
人情報取得部１６３は、人センサ１４０から出力される人情報を取得する。例えば、人情報取得部１６３は、人センサ１４０と有線又は無線で接続された通信インタフェースで実現される。
【００７６】
制御部１６４は、病原体濃度情報、環境情報及び人情報に基づいて、調整機器群１５０に含まれる複数の調整機器の少なくとも１つを制御する。制御部１６４は、プログラムが格納された不揮発性メモリ、プログラムを実行するための一時的な記憶領域である揮発性メモリ、入出力ポート、プログラムを実行するプロセッサなどで実現される。制御部１６４は、専用の電子回路で実現されてもよい。
【００７７】
具体的には、制御部１６４は、病原体濃度情報が示す病原体濃度と、人情報が示す人の在不在に基づいて環境値の許容範囲を設定し、設定した許容範囲内で環境値が収まるように、調整機器群１５０に含まれる複数の調整機器の少なくとも１つを制御する。本実施の形態では、制御部１６４は、病原体濃度が所定の閾値より高い場合であって、空間１０に人の存在が検知されているとき、環境値の許容範囲を第１の範囲に設定し、設定した第１の範囲内で環境値が収まるように調整機器を制御する。また、制御部１６４は、病原体濃度が所定の閾値より高い場合であって、空間１０に人の存在が検知されていないとき、環境値の許容範囲を第２の範囲に設定し、設定した第２の範囲内で環境値が収まるように調整機器を制御する。ここで、第２の範囲は、第１の範囲より広い範囲である。
【００７８】
制御部１６４は、複数の環境値の各々の許容範囲を設定する。複数の環境値には、上述したように、温度、湿度、塩素濃度、オゾン濃度、ＣＯ２濃度、ＵＶ照度、及び、粉塵量などが含まれる。許容範囲の具体例については、空間環境制御システム１００の動作と合わせて、後で説明する。
【００７９】
ここで、病原体濃度の閾値は、例えば、病原体１１の種別及びその感染力などに基づいて定められる値である。閾値は、例えば、病原体１１による感染の危険性が発生するか否かの判定基準となる値である。病原体濃度が閾値を上回った場合に、病原体１１による感染の危険性が発生する。病原体濃度が閾値より低い場合には、病原体１１による感染はほぼ発生しない。
【００８０】
制御部１６４は、例えば、所定の期間が経過する度に、温度の許容範囲の設定を行う。本実施の形態では、所定の期間が経過する度に、病原体センサ１２０によって病原体１１が検出され、病原体濃度情報が出力される。制御部１６４は、病原体濃度情報取得部１６１が濃度情報を取得する度に、取得した濃度情報に基づいて環境値の許容範囲の設定を行う。
【００８１】
制御部１６４は、例えば、浄化モード及び快適モードを含む複数の動作モードから選択された１つのモードで動作する。
【００８２】
浄化モードは、空間１０中に存在する病原体１１の感染力を弱体化させるための動作モードである。例えば、制御部１６４は、浄化モードで動作する場合に、許容範囲内の上限値に空間１０の環境値が一致するように、調整機器群１５０を制御する。浄化モードにおける環境値の許容範囲は、例えば第２の範囲である。
【００８３】
快適モードは、空間１０を人にとって快適な温度環境にするための動作モードである。例えば、制御部１６４は、快適モードで動作する場合に、許容範囲内の所定値に空間１０の環境値が一致するように、調整機器群１５０を制御する。快適モードにおける環境値の許容範囲は、例えば第１の範囲である。
【００８４】
制御部１６４は、いずれのモードにおいても、設定された許容範囲内で環境値が収まるように、調整機器群１５０を制御する。例えば、制御部１６４は、調整機器群１５０に含まれる複数の調整機器の少なくとも１つに制御信号を出力する。
【００８５】
制御信号には、各調整機器の動作の開始及び停止、動作の内容、並びに、設定した許容範囲などの指示が含まれる。例えば、温度調整機器１５１に出力される制御信号には、暖房及び冷房、並びに、設定温度などの指示が動作の内容として含まれる。湿度調整機器１５２に出力される制御信号には、加湿及び除湿、並びに、設定湿度などの指示が動作の内容として含まれる。次亜塩素酸発生器１５３に出力される制御信号には、次亜塩素酸の放出量の指示が動作の内容として含まれる。オゾン発生器１５４に出力される制御信号には、オゾンの放出量の指示が動作の内容として含まれる。
【００８６】
換気装置１５５に出力される制御信号には、換気量の指示が動作の内容として含まれる。なお、換気装置１５５がドア５３又は窓５４である場合には、制御信号には、換気量の代わりに、ドア５３又は窓５４の開閉量の指示が含まれてもよい。ＵＶ光源１５６に出力される制御信号には、紫外光の光量の指示が動作の内容として含まれる。なお、ＵＶ光源１５６の代わりにブラインド５５を利用する場合、ブラインド５５に出力される制御信号には、ブラインド５５の開閉量の指示が含まれてもよい。
【００８７】
［動作］
続いて、本実施の形態に係る空間環境制御システム１００の動作について、図３を用いて説明する。図３は、本実施の形態に係る空間環境制御システム１００の動作を示すフローチャートである。
【００８８】
図３に示されるように、まず、空間環境制御装置１６０は、病原体濃度を取得する（Ｓ１１０）。具体的には、病原体センサ１２０が空間１０中に存在する病原体１１を検出し、検出結果に基づいて生成した病原体濃度情報を空間環境制御装置１６０に出力する。病原体濃度情報取得部１６１は、出力された病原体濃度情報を取得し、制御部１６４に出力する。
【００８９】
次に、制御部１６４は、病原体濃度情報が示す病原体濃度が閾値より高いか否かを判定する（Ｓ１１２）。病原体濃度が閾値より高い場合（Ｓ１１２でＹｅｓ）、制御部１６４は、人情報に基づいて空間１０に人が存在するか否かを判定する（Ｓ１１４）。
【００９０】
空間１０に人が存在する場合（Ｓ１１４でＹｅｓ）、制御部１６４は、環境値の許容範囲を第１の範囲に設定する（Ｓ１１６）。制御部１６４は、環境値が第１の範囲に収まるように調整機器群１５０を制御することで、空間１０を快適な環境で維持する（Ｓ１１８）。このように、病原体濃度が閾値より高く、かつ、空間１０に人が存在する場合には、制御部１６４は、快適モードで動作する。病原体濃度が閾値より低い場合（Ｓ１１２でＮｏ）も同様に、ステップＳ１１６とステップＳ１１８とが実行される。
【００９１】
空間１０に人が存在しない場合（Ｓ１１４でＮｏ）、制御部１６４は、環境値の許容範囲を第２の範囲に設定する（Ｓ１２０）。制御部１６４は、環境値が第２の範囲に収まるように調整機器群１５０を制御することで、空間１０に存在する病原体１１の感染力を弱体化させる（Ｓ１２２）。このように、病原体濃度が閾値より高く、かつ、空間１０に人が存在しない場合には、制御部１６４は、浄化モードで動作する。
【００９２】
所定の期間が経過するまで（Ｓ１２４でＮｏ）、状態が維持される。
【００９３】
所定の期間が経過した後（Ｓ１２４でＹｅｓ）、ステップＳ１１０に戻り、病原体濃度の取得からの処理が繰り返される。所定の期間は、例えば１０分以上１時間以内の範囲であるが、これに限らない。
【００９４】
［環境値の時間変化］
ここで、図３に示されるフローチャートに沿って空間環境制御システム１００が動作したときの空間１０の環境値の時間変化の具体例について説明する。以下では、環境値として、空間１０の温度、湿度及び塩素濃度の各々の時間変化について説明する。
【００９５】
＜温度の時間変化＞
まず、温度の時間変化について、図４を用いて説明する。
【００９６】
図４は、本実施の形態に係る空間環境制御システム１００の動作中の空間１０の温度の時間変化を示す図である。図４では、横軸に時間を示しており、縦軸に空間１０の温度を示している。
【００９７】
本実施の形態では、制御部１６４が設定する温度の許容範囲として、第１の温度範囲と、当該第１の温度範囲より広い第２の温度範囲とが候補として設けられている。
【００９８】
第１の温度範囲は、人にとって快適な環境として定められた温度の範囲である。第１の温度範囲は、例えばＩＳＯ（国際標準化機構）規格、又は、ＰＭＶ（予想平均温冷感申告）法に基づいて快適と定められる温度の範囲である。例えば、図４に示されるように、第１の温度範囲は、下限値Ｔ１ｍｉｎが２２℃、上限値Ｔ１ｍａｘが２７℃となる範囲である。あるいは、第１の温度範囲の下限値Ｔ１ｍｉｎは２０℃でもよく、上限値Ｔ１ｍａｘは３２℃でもよい。
【００９９】
第２の温度範囲は、病原体１１の感染力を弱体化させることができる温度の範囲である。第２の温度範囲には、人にとって不快と感じられる範囲も含まれる。具体的には、第２の温度範囲には、快適な温度範囲よりも高温又は低温の範囲が含まれる。例えば、図４に示されるように、第２の温度範囲は、下限値Ｔ２ｍｉｎが２２℃、上限値Ｔ２ｍａｘが３１℃となる範囲である。なお、第２の温度範囲の下限値Ｔ２ｍｉｎと第１の温度範囲の下限値Ｔ１ｍｉｎとは等しくなくてもよい。例えば、第２の温度範囲の下限値Ｔ２ｍｉｎは１５℃でもよい。また、第２の温度範囲の上限値Ｔ２ｍａｘは、３５℃でもよい。
【０１００】
例えば、インフルエンザウイルスなどのウイルスは、高温環境下では生存率が低下する。このため、温度の許容範囲を広くし、空間１０の温度を上昇させることで、病原体１１の個体数を減らし、感染力を低下させることができる。
【０１０１】
図４に示されるように、時刻ｔ１〜ｔ５の各々で、病原体センサ１２０が病原体１１の検出を行っている。例えば、時刻ｔ１から時刻ｔ２までの期間が、図３に示されるステップＳ１２４の所定の期間に相当する。所定の期間は、常に一定の期間でなくてもよく、異なる期間を含んでもよい。例えば、時刻ｔ１から時刻ｔ２までの期間と時刻ｔ２から時刻ｔ３までの期間とは異なっていてもよい。
【０１０２】
図４で示される例では、時刻ｔ１から時刻ｔ２までの期間の所定の時刻に人が空間１０から出ていき、時刻ｔ３から時刻ｔ４までの期間の所定の時刻に人が空間１０に戻ってきた場合を例に説明する。なお、時刻ｔ１に至るまでの期間は、許容範囲が第１の温度範囲であり、空間１０には快適な環境が形成されている。例えば、制御部１６４が温度調整機器１５１を制御することで、空間１０の温度が２３℃で保たれている。
【０１０３】
時刻ｔ１では、病原体濃度が閾値より高いと判定されているものの、空間１０に人が存在するので、制御部１６４は、温度調整機器１５１を制御することで、快適な環境を維持する。時刻ｔ２では、人が存在していないと判定されたため、制御部１６４は、許容範囲を第２の温度範囲に設定し、温度調整機器１５１を暖房で動作させる。
【０１０４】
温度調整機器１５１が暖房動作を行うことで、時刻ｔ２以降、空間１０の温度が上昇する。許容範囲が第１の温度範囲から第２の温度範囲に変更されているので、第１の温度範囲の上限値Ｔ１ｍａｘである２７℃を超えて、空間１０の温度は上昇する。このとき、制御部１６４は、第２の温度範囲の上限値Ｔ２ｍａｘである３１℃を超えないように、温度調整機器１５１を制御する。
【０１０５】
時刻ｔ３では、病原体濃度が閾値より高く、かつ、人が存在していないと判定されているので、制御部１６４は、許容範囲を第２の温度範囲のままで維持する。制御部１６４は、空間１０の温度が３１℃で保たれるように、温度調整機器１５１を制御する。
【０１０６】
時刻ｔ４では、人が存在すると判定されているので、制御部１６４は、許容範囲を第１の温度範囲に戻し、温度調整機器１５１を冷房で動作させる。温度調整機器１５１が冷房動作を行うことで、時刻ｔ４以降、空間１０の温度が低下する。空間１０の温度が第１の温度範囲の上限値Ｔ１ｍａｘを下回り、第１の温度範囲に収まる範囲内で維持されるように、制御部１６４は、温度調整機器１５１を制御する。
【０１０７】
時刻ｔ２〜時刻ｔ４にかけて、空間１０の温度が高温になるので、病原体１１の生存率が低下し、病原体濃度が次第に低下する。このため、時刻ｔ５では、病原体濃度が閾値より低くなり、空間１０における病原体１１による感染の危険性が抑えられる。
【０１０８】
＜湿度の時間変化＞
次に、湿度の時間変化について、図５を用いて説明する。
【０１０９】
図５は、本実施の形態に係る空間環境制御システム１００の動作中の空間１０の湿度の時間変化を示す図である。図５では、横軸に時間を示しており、縦軸に空間１０の湿度を示している。
【０１１０】
本実施の形態では、制御部１６４が設定する湿度の許容範囲として、第１の湿度範囲と、当該第１の湿度範囲より広い第２の湿度範囲とが候補として設けられている。
【０１１１】
第１の湿度範囲は、人にとって快適な環境として定められた湿度の範囲である。第１の湿度範囲は、例えば建築物衛生法に基づいて快適と定められる湿度の範囲である。例えば、図５に示されるように、第１の湿度範囲は、下限値Ｈ１ｍｉｎが５０％、上限値Ｈ１ｍａｘが７０％となる範囲である。あるいは、第１の湿度範囲の下限値Ｈ１ｍｉｎは４０％でもよく、上限値Ｈ１ｍａｘは７５％でもよい。
【０１１２】
第２の湿度範囲は、病原体１１の感染力を弱体化させることができる湿度の範囲である。第２の湿度範囲には、人にとって不快と感じられる範囲も含まれる。具体的には、第２の湿度範囲には、快適な湿度範囲よりも高湿又は低湿の範囲が含まれる。例えば、図５に示されるように、第２の湿度範囲は、下限値Ｈ２ｍｉｎが５０％、上限値Ｈ２ｍａｘが９０％となる範囲である。なお、第２の湿度範囲の下限値Ｈ２ｍｉｎと第１の湿度範囲の下限値Ｈ１ｍｉｎとは等しくなくてもよい。例えば、第２の湿度範囲は、下限値Ｈ２ｍｉｎは２０％でもよい。
【０１１３】
例えば、インフルエンザウイルスなどのウイルスは、高湿環境下では生存率が低下する。このため、湿度の許容範囲を広くし、空間１０の湿度を上昇させることで、病原体１１の個体数を減らし、感染力を低下させることができる。
【０１１４】
また、湿度が高い状態にある場合、空間１０内の壁及び窓５４などには水分が付着しやすくなる。空間１０内の水分量が多い場合、病原体１１は、水分に捕えられて空気中に浮遊しにくくなる。したがって、病原体１１が空間１０内に存在している状態であっても、浮遊する病原体１１の個体数を減らすことにより、感染力を低下させることができる。
【０１１５】
図５で示される例では、時刻ｔ１から時刻ｔ２までの期間の所定の時刻に人が空間１０から出ていき、時刻ｔ３から時刻ｔ４までの期間の所定の時刻に人が空間１０に戻ってきた場合を例に説明する。なお、時刻ｔ１に至るまでの期間は、許容範囲が第１の湿度範囲であり、空間１０には快適な環境が形成されている。例えば、制御部１６４が湿度調整機器１５２を制御することで、空間１０の湿度が５５％で保たれている。
【０１１６】
時刻ｔ１では、病原体濃度が閾値より高いと判定されているものの、空間１０に人が存在するので、制御部１６４は、湿度調整機器１５２を制御することで、快適な環境を維持する。時刻ｔ２では、人が存在していないと判定されたため、制御部１６４は、許容範囲を第２の湿度範囲に設定し、湿度調整機器１５２を加湿で動作させる。
【０１１７】
湿度調整機器１５２が加湿動作を行うことで、時刻ｔ２以降、空間１０の湿度が上昇する。許容範囲が第１の湿度範囲から第２の湿度範囲に変更されているので、第１の湿度範囲の上限値Ｈ１ｍａｘである７０％を超えて、空間１０の湿度は上昇する。このとき、制御部１６４は、第２の湿度範囲の上限値Ｈ２ｍａｘである９０％を超えないように、湿度調整機器１５２を制御する。
【０１１８】
時刻ｔ３では、病原体濃度が閾値より高く、かつ、人が存在していないと判定されているので、制御部１６４は、許容範囲を第２の湿度範囲のままで維持する。制御部１６４は、空間１０の湿度が９０％で保たれるように、湿度調整機器１５２を制御する。
【０１１９】
時刻ｔ４では、人が存在すると判定されているので、制御部１６４は、許容範囲を第１の湿度範囲に戻し、湿度調整機器１５２を除湿で動作させる。湿度調整機器１５２が除湿動作を行うことで、時刻ｔ４以降、空間１０の湿度が低下する。空間１０の湿度が第１の湿度範囲の上限値Ｈ１ｍａｘを下回り、第１の湿度範囲に収まる範囲内で維持されるように、制御部１６４は、湿度調整機器１５２を制御する。
【０１２０】
時刻ｔ２〜時刻ｔ４にかけて、空間１０の湿度が高湿になるので、病原体１１の生存率が低下し、病原体濃度が低下する。このため、時刻ｔ５では、病原体濃度が閾値より低くなり、空間１０における病原体１１による感染の危険性が抑えられる。
【０１２１】
＜塩素濃度の時間範囲＞
次に、塩素濃度の時間変化について、図６を用いて説明する。なお、オゾン濃度の時間変化についても同様である。
【０１２２】
図６は、本実施の形態に係る空間環境制御システム１００の動作中の空間１０の塩素濃度の時間変化を示す図である。図６では、横軸に時間を示しており、縦軸に空間１０の塩素濃度を示している。
【０１２３】
本実施の形態では、制御部１６４が設定する塩素濃度の許容範囲として、第１の濃度範囲と、当該第１の濃度範囲より広い第２の濃度範囲とが候補として設けられている。
【０１２４】
第１の濃度範囲は、人にとって快適な環境として定められた塩素濃度の範囲である。第１の濃度範囲は、例えば作業環境評価基準に基づいて定められる塩素濃度の範囲である。例えば、図６に示されるように、第１の濃度範囲は、下限値Ｃ１ｍｉｎが０ｐｐｍ、上限値Ｃ１ｍａｘが０．０１ｐｐｍとなる範囲である。あるいは、第１の濃度範囲の上限値Ｃ１ｍａｘは０．０３ｐｐｍでもよい。上限値Ｃ１ｍａｘが０．０１ｐｐｍであることで、臭いに敏感な人にとっても塩素臭をほとんど感じなくすることができる。
【０１２５】
なお、０ｐｐｍとは、塩素が全く存在しないことを意味するだけでなく、ｐｐｍレベルでは検出されない、つまり、検出限界以下であることも意味する。つまり、空間１０には、ｐｐｔレベルで塩素が存在していてもよい。なお、オゾン濃度についても同様である。
【０１２６】
第２の濃度範囲は、病原体１１の感染力を弱体化させることができる塩素濃度の範囲である。第２の濃度範囲には、人にとって塩素臭により不快と感じられる範囲も含まれる。具体的には、第２の濃度範囲には、快適な濃度範囲よりも濃度が高い範囲が含まれる。例えば、図６に示されるように、第２の濃度範囲は、下限値Ｃ２ｍｉｎが０ｐｐｍ、上限値Ｃ２ｍａｘが０．５ｐｐｍとなる範囲である。０．５ｐｐｍは、塩素の管理許容濃度（ＴＷＡ：Time-Weighted Average）であり、許容範囲が第２の濃度範囲に設定された場合においても、人体に与える悪影響を抑えることができる。あるいは、第２の濃度範囲の上限値Ｃ２ｍａｘは０．１ｐｐｍでもよい。
【０１２７】
次亜塩素酸又はオゾンなどの酸化力を有する物質は、インフルエンザウイルスなどの病原体１１を分解し、除去することができる。このため、空間１０に次亜塩素酸を放出することで、病原体１１の個体数を減らし、感染力を低下させることができる。
【０１２８】
図６で示される例では、時刻ｔ１から時刻ｔ２までの期間の所定の時刻に人が空間１０から出ていき、時刻ｔ３から時刻ｔ４までの期間の所定の時刻に人が空間１０に戻ってきた場合を例に説明する。なお、時刻ｔ１に至るまでの期間は、許容範囲が第１の濃度範囲であり、空間１０には快適な環境が形成されている。例えば、制御部１６４が次亜塩素酸発生器１５３の動作を停止することで、空間１０の塩素濃度が０ｐｐｍで保たれている。
【０１２９】
時刻ｔ１では、病原体濃度が閾値より高いと判定されているものの、空間１０に人が存在するので、制御部１６４は、換気装置１５５を制御することで、快適な環境を維持する。時刻ｔ２では、人が存在しないと判定されたため、制御部１６４は、許容範囲を第２の濃度範囲に設定し、次亜塩素酸発生器１５３の動作を開始し、次亜塩素酸を発生させる。
【０１３０】
次亜塩素酸発生器１５３が次亜塩素酸を発生させることで、時刻ｔ２以降、空間１０の塩素濃度が上昇する。許容範囲が第１の濃度範囲から第２の濃度範囲に変更されているので、第１の濃度範囲の上限値Ｃ１ｍａｘである０．０１ｐｐｍを超えて、空間１０の塩素濃度は上昇する。このとき、制御部１６４は、第２の濃度範囲の上限値Ｃ２ｍａｘである９０％を超えないように、次亜塩素酸発生器１５３及び換気装置１５５を制御する。
【０１３１】
時刻ｔ３では、病原体濃度が閾値より高く、かつ、人が存在していないと判定されているので、制御部１６４は、許容範囲を第２の濃度範囲のままで維持する。制御部１６４は、空間１０の塩素濃度も０．５ｐｐｍで保たれるように、次亜塩素酸発生器１５３及び換気装置１５５を制御する。
【０１３２】
時刻ｔ４では、人が存在すると判定されているので、制御部１６４は、許容範囲を第１の濃度範囲に戻し、次亜塩素酸発生器１５３の動作を停止し、換気装置１５５に空間１０の換気を行わせる。換気装置１５５が換気を行うことで、時刻ｔ４以降、空間１０の塩素濃度が低下する。空間１０の塩素濃度が第１の濃度範囲の上限値Ｃ１ｍａｘを下回り、第１の濃度範囲に収まる範囲内で維持されるように、制御部１６４は、換気装置１５５を制御する。
【０１３３】
時刻ｔ２〜時刻ｔ４にかけて、空間１０には次亜塩素酸が存在しているので、病原体１１の生存率が低下し、病原体濃度が低下する。このため、時刻ｔ５では、病原体濃度が閾値より低くなり、空間１０における病原体１１による感染の危険性が抑えられる。
【０１３４】
なお、図４〜図６の各々に示される例では、快適性を優先する場合に、制御部１６４は、環境値（具体的には、温度、湿度及び塩素濃度）が第１の範囲の中央寄りの値又は下限値になるように各調整機器を制御したが、これに限らない。例えば、制御部１６４は、環境値が第１の範囲の上限値で保たれるように調整機器を制御してもよい。
【０１３５】
また、浄化を優先する場合に、制御部１６４は、環境値が第２の温度範囲の上限値で保たれるように調整機器を制御したが、これに限らない。例えば、制御部１６４は、第２の範囲に含まれ、かつ、第１の範囲に含まれない範囲、すなわち、第１の範囲の上限値以上、第２の範囲の上限値以下の範囲に環境値が収まるように、調整機器を制御してもよい。例えば、制御部１６４は、第１の範囲の上限値と第２の範囲の上限値との間の中央値に環境値が一致するように、調整機器を制御してもよい。
【０１３６】
以上のように、本実施の形態に係る空間環境制御システム１００によれば、病原体濃度が閾値より高い場合に、人の在不在に基づいて環境値の許容範囲が設定される。このため、例えば、病原体濃度が閾値より高くて感染の危険性が高い場合で、かつ、人が存在しない場合に、空間１０を高温若しくは高湿にし、又は、空間１０に次亜塩素酸若しくはオゾンを放出することで、病原体１１の生存率を下げることができる。一方で、空間１０に人が存在する場合には、空間１０を人にとって快適な環境で保つことができる。
【０１３７】
これにより、空間１０に人が存在する場合には、快適な環境を維持し、空間１０から人が居なくなった場合に、病原体１１の感染力を弱体化させることができる。人が空間１０に存在しない場合には、環境値がどのような値になったとしても、人に不快感を与えることはない。
【０１３８】
このように、本実施の形態によれば、人にとっての快適な環境と、病原体１１の感染力の弱体化とを両立させることができる。
【０１３９】
なお、本実施の形態では、図３に示されるように、病原体濃度を取得した後に、人が存在するか否かを判定したが、これに限らない。制御部１６４は、人が存在するか否かを常時、判定していてもよい。
【０１４０】
例えば、制御部１６４は、空間１０に人が戻ってきた場合に直ちに、許容範囲を第１の範囲に戻し、環境値が第１の範囲に収まるように調整機器群１５０を制御してもよい。これにより、空間１０を快適な環境に速やかに戻すことができ、人が不快に感じる期間を短くすることができる。
【０１４１】
また、例えば、制御部１６４は、空間１０から人が出ていった場合に直ちに、許容範囲を第２の範囲に設定し、環境値が第２の範囲に収まるように、調整機器群１５０を制御してもよい。これにより、空間１０の浄化を速やかに行うことができ、短期間で病原体１１の感染力を低下させることができる。
【０１４２】
なお、環境値には、さらに、ＣＯ２濃度、ＵＶ量及び粉塵量の少なくとも１つが含まれてもよい。例えば、制御部１６４は、環境値毎に、病原体濃度が所定の閾値より高い場合であって、空間１０に人の存在が検知されているとき、環境値の許容範囲を第１の範囲に設定し、病原体濃度が所定の閾値より高い場合であって、空間１０に人の存在が検知されていないとき、環境値の許容範囲を、第１の範囲より広い第２の範囲に設定してもよい。
【０１４３】
ＣＯ２濃度の第１の範囲は、例えば３００ｐｐｍ以上２０００ｐｐｍ以下である。ＵＶ量の第１の範囲は、例えば、波長３８０ｎｍ以下のＵＶ光に対して、５０ｍＷ／ｃｍ２以下である。粉塵量の第１の範囲は、例えば０．１ｍｇ／ｍ３以下である。これらは、衛生管理基準などに基づき定められる。
【０１４４】
ＣＯ２濃度の第２の範囲は、例えば３００ｐｐｍ以上４０００ｐｐｍ以下である。ＵＶ量の第１の範囲は、例えば、波長３８０ｎｍ以下のＵＶ光に対して、１００ｍＷ／ｃｍ２以下である。粉塵量の第１の範囲は、例えば０．２ｍｇ／ｍ３以下である。
【０１４５】
例えば、快適な環境を維持する場合において、制御部１６４は、ＣＯ２濃度及び粉塵量が許容範囲内で収まるように、換気装置１５５を制御する。具体的には、ＣＯ２濃度及び粉塵量の少なくとも一方が許容範囲の上限値を上回っている場合には、換気装置１５５を制御することで、空間１０の空気の入れ換えを行う。これにより、ＣＯ２濃度及び粉塵量を低下させることができる。
【０１４６】
なお、粉塵量は、換気の際、又は、浄化動作において風量を強めた場合などにも増加する恐れがある。これらに対して、空間１０内に生成される気流が抑えられるように調整機器群１５０を制御することで、粉塵量を許容範囲内に抑えることができる。このように、本実施の形態に係る空間環境制御システム１００によれば、温度、湿度、ＣＯ２濃度及び粉塵量などの様々な環境値を快適な範囲内に収めることで、人にとってより快適な環境を形成することができる。
【０１４７】
［変形例１］
以下では、実施の形態１の変形例１について説明する。
【０１４８】
実施の形態１では、許容範囲の候補である第２の範囲が有限の範囲である例について示したが、第２の範囲は、無制限の範囲であってもよい。本変形例では、空間１０の温度を調整する場合について説明するが、湿度、塩素濃度、オゾン濃度又はＵＶ光量を調整してもよく、これらの環境値のうち２つ以上の環境値を調整してもよい。
【０１４９】
図７は、本変形例に係る空間環境制御システムの動作中の空間１０の温度の時間変化を示す図である。図７では、横軸に時間を示しており、縦軸に空間１０の温度を示している。
【０１５０】
本実施の形態では、制御部１６４が設定する温度の許容範囲として、第１の温度範囲と、無制限の第２の温度範囲とが設けられている。第２の温度範囲は、上限値及び下限値のいずれも有さない。本変形例に係る第２の温度範囲は、言うまでもなく第１の範囲より広い範囲である。
【０１５１】
図７に示される例では、時刻ｔ１〜ｔ７の各々で、病原体センサ１２０が病原体１１の検出を行っている。また、時刻ｔ１から時刻ｔ２までの期間の所定の時刻に人が空間１０から出ていき、時刻ｔ３から時刻ｔ４までの期間の所定の時刻に人が空間１０に戻ってきた場合を例に示している。
【０１５２】
時刻ｔ１では、病原体濃度が閾値より高いと判定されているものの、空間１０に人が存在するので、制御部１６４は、温度調整機器１５１を制御することで、快適な環境を維持する。時刻ｔ２では、人が存在していないと判定されたため、制御部１６４は、許容範囲を第２の温度範囲に設定し、温度調整機器１５１を暖房で動作させる。言い換えると、制御部１６４は、許容範囲に制限を設けることなく、温度調整機器１５１を暖房で動作させる。例えば、制御部１６４は、温度調整機器１５１の暖房機能の最大出力で動作させる。
【０１５３】
温度調整機器１５１が暖房動作を行うことで、時刻ｔ２以降、空間１０の温度が上昇する。許容範囲に制限がないので、例えば、空間１０の温度は上昇し続ける。
【０１５４】
時刻ｔ３では、病原体濃度が閾値より高く、かつ、人が存在していないと判定されているので、制御部１６４は、温度調整機器１５１を最大出力で動作を継続させる。
【０１５５】
時刻ｔ４では、人が存在すると判定されているので、制御部１６４は、許容範囲を第１の温度範囲に戻し、温度調整機器１５１を冷房で動作させる。温度調整機器１５１が冷房動作を行うことで、時刻ｔ４以降、空間１０の温度が低下する。空間１０の温度が第１の温度範囲の上限値Ｔ１ｍａｘを下回り、第１の温度範囲に収まる範囲内で維持されるように、制御部１６４は、温度調整機器１５１を制御する。
【０１５６】
時刻ｔ２〜時刻ｔ４にかけて、空間１０の温度が高温になるので、病原体１１の生存率が低下し、病原体濃度が次第に低下する。このため、時刻ｔ５では、病原体濃度が閾値より低くなり、空間１０における病原体１１による感染の危険性が抑えられる。
【０１５７】
以上のように、本変形例に係る空間環境制御システムでは、病原体濃度が閾値より高く、かつ、空間１０に人が存在しない場合に、環境値の制限を設けない。これにより、各調整機器を最大出力で動作させることが可能になる。
【０１５８】
したがって、空間１０に存在する病原体１１の感染力を短期間で弱体化させることができる。また、高温又は高湿などの不快な環境が空間１０に形成されたとしても、空間１０には人が存在しないので人に悪影響を与えることはない。このように、本変形例に係る空間環境制御システムによれば、人にとって快適性と病原体の感染力の弱体化とを両立させることができる。
【０１５９】
［変形例２］
次に、実施の形態１の変形例２について説明する。
【０１６０】
実施の形態１では、病原体濃度が閾値より低い場合（Ｓ１１２でＮｏ）と、病原体濃度が閾値より高く、かつ、人が存在する場合（Ｓ１１４でＹｅｓ）とで、制御部１６４が同じ動作モードで動作する例を示したが、これに限らない。
【０１６１】
図８は、本変形例に係る空間環境制御システムの動作を示すフローチャートである。ここでは、図３に示される動作との相違点を中心に説明する。
【０１６２】
病原体濃度が閾値より高い場合（Ｓ１１２でＹｅｓ）で、空間１０に人が存在する場合（Ｓ１１４でＹｅｓ）、制御部１６４は、環境値の許容範囲を第１の範囲に設定する（Ｓ１１６）。次に、制御部１６４は、混合モードで動作する（Ｓ１１９）。
【０１６３】
混合モードは、快適性を維持した状態で、空間１０の浄化を行う動作モードである。第１の範囲は、人にとって快適な範囲として定められた範囲であるので、環境値が第１の範囲内で収まっている限り、空間１０は人にとって快適な環境で保たれる。このとき、制御部１６４は、環境値が第１の範囲の上限値に一致するように、調整機器を制御する。これにより、快適な環境を維持しつつ、病原体１１の感染力を弱体化させることができる。
【０１６４】
ここで、図８に示されるフローチャートに沿って本変形例に係る空間環境制御システムが動作したときの空間１０の環境値の時間変化の具体例について説明する。以下では、環境値として、空間１０の温度の時間変化について説明する。なお、説明を省略するが、湿度、塩素濃度及びオゾン濃度なども同様である。
【０１６５】
図９は、本変形例に係る空間環境制御システムの動作中の空間１０の温度の時間変化を示す図である。図９では、横軸に時間を示しており、縦軸に空間１０の温度を示している。
【０１６６】
図９に示される例では、時刻ｔ１〜ｔ７の各々で、病原体センサ１２０が病原体１１の検出を行っている。また、時刻ｔ１から時刻ｔ２までの期間の所定の時刻に人が空間１０から出ていき、時刻ｔ３から時刻ｔ４までの期間の所定の時刻に人が空間１０に戻ってきた場合を例に示している。
【０１６７】
時刻ｔ１では、病原体濃度が閾値より低いと判定されているので、制御部１６４は、温度調整機器１５１を制御することで、空間１０に快適な環境を維持する。例えば、図９に示されるように、制御部１６４は、空間１０の温度が２３℃で保たれるように、温度調整機器１５１を制御する。ここで、「２３℃」は、例えば、第１の温度範囲に含まれる温度の中で、空間１０に存在する人にとって最も快適な温度として予め設定された温度である。なお、このときの設定温度は、２３℃に限らず、第１の温度範囲に含まれる温度であればよい。
【０１６８】
時刻ｔ２では、病原体濃度が閾値より高いと判定され、かつ、空間１０に人が存在していないので、制御部１６４は、許容範囲を第２の温度範囲に設定し、温度調整機器１５１を暖房で動作させる。
【０１６９】
その後、時刻ｔ４では、病原体濃度が高いと判定されているものの、空間１０に人が存在しているので、制御部１６４は、許容範囲を第１の温度範囲に戻し、温度調整機器１５１を冷房で動作させる。温度調整機器１５１が冷房動作を行うことで、時刻ｔ４以降、空間１０の温度が低下する。
【０１７０】
空間１０の温度が第１の温度範囲の上限値Ｔ１ｍａｘに到達した後、制御部１６４は、空間１０の温度が上限値Ｔ１ｍａｘに一致するように、温度調整機器１５１を冷房で動作させる。時刻ｔ５では、病原体濃度が高いと判定され、かつ、空間１０に人が存在するので、制御部１６４は、空間１０の温度が上限値Ｔ１ｍａｘに一致するように、温度調整機器１５１を制御する。
【０１７１】
時刻ｔ６で、病原体濃度が低いと判定されたので、制御部１６４は、温度調整機器１５１の冷房を強めることで、空間１０の温度を最初の設定温度である２３℃まで下げて、その後、２３℃で維持する。
【０１７２】
このように、本変形例に係る空間環境制御システムでは、病原体濃度が高いと判定された場合において、空間１０に人が存在するとき、制御部１６４は、環境値の許容範囲の中で、病原体１１の感染力の弱体化に最も適した環境値になるように、調整機器を維持する。これにより、快適な環境を維持しつつ、病原体１１による感染の危険性を低減することができる。
【０１７３】
（実施の形態２）
続いて、実施の形態２について説明する。
【０１７４】
本実施の形態では、空間に対する人の出入り状況を推定し、推定結果に基づいて空間の環境を制御する。以下では、図１に示される空間１０が、本実施の形態に係る空間環境制御システムによる環境の制御対象の空間である場合を例に説明する。なお、以下の説明において、実施の形態１との相違点を中心に説明し、共通点の説明を省略又は簡略化する。
【０１７５】
［構成］
図１０は、本実施の形態に係る空間環境制御システム２００の構成を示すブロック図である。図１０に示されるように、空間環境制御システム２００は、実施の形態１に係る空間環境制御システム１００と比較して、空間環境制御装置１６０の代わりに空間環境制御装置２６０を備える点と、新たに管理装置２７０を備える点とが相違する。
【０１７６】
空間環境制御装置２６０は、実施の形態１に係る空間環境制御装置１６０と比較して、制御部１６４の代わりに制御部２６４を備える。さらに、空間環境制御装置２６０は、スケジュール情報取得部２６５を備える。
【０１７７】
制御部２６４は、制御部１６４の動作に加えてさらに、浄化モードで動作する場合に、空間１０に人が入ってくる時刻を推定し、推定した時刻までに空間１０の環境値が第１の範囲に収まるように調整機器群１５０を制御する。具体的には、制御部２６４は、スケジュール情報取得部２６５が取得したスケジュール情報２７２に基づいて、人が入ってくる時刻を推定する。
【０１７８】
人が入ってくる時刻とは、具体的には、空間１０から出ていった人が再び戻ってくる時刻、又は、新たな人が空間１０に入ってくる時刻である。人が入ってくる時刻は、環境値を第１の範囲内に収める目標時刻である。
【０１７９】
スケジュール情報取得部２６５は、管理装置２７０からスケジュール情報２７２を取得する。スケジュール情報取得部２６５は、例えば、管理装置２７０と有線又は無線で通信する通信インタフェースである。
【０１８０】
管理装置２７０は、スケジュール情報２７２の管理を行う装置である。管理装置２７０は、例えば、空間１０の使用予定を管理するスケジュール管理サーバ装置などである。
【０１８１】
図１０に示されるように、管理装置２７０は、スケジュール情報２７２を記憶する記憶部２７１を備える。記憶部２７１は、例えば、ＨＤＤ（Hard Disk Drive）などの不揮発性記憶メモリで実現されるが、これに限らない。
【０１８２】
スケジュール情報２７２は、空間１０の使用予定、及び、人の行動予定の少なくとも一方を示す情報である。図１１は、本実施の形態に係る空間環境制御システム２００が利用するスケジュール情報２７２を示す図である。スケジュール情報２７２は、例えば、オフィスの会議室の使用予約などのように、使用の開始時刻と終了時刻又は使用期間とで表される。図１１に示されるスケジュール情報２７２は、１３：００〜１５：００、１５：３０〜１６：３０、及び、１８：００以降の期間が、空間１０が使用される期間であることを示している。
【０１８３】
空間１０が使用される期間は、空間１０に人が存在する期間とみなすことができる。逆に、空間１０が使用されない期間は、空間１０に人が存在しない期間とみなすことができる。つまり、空間１０の使用開始時刻は、人が空間１０に入ってくる時刻であり、環境値を第１の範囲内に収める目標時刻である。したがって、例えば、制御部２６４は、１３：００、１５：３０及び１８：００の各々の時点で、環境値が第１の範囲に収まるように、調整機器群１５０を制御する。
【０１８４】
［動作］
次に、本実施の形態に係る空間環境制御システム２００の動作について説明する。
【０１８５】
本実施の形態に係る空間環境制御システム２００の動作は、浄化モードで動作する場合の動作、すなわち、病原体濃度が閾値より高く、かつ、人が存在していない場合の動作の動作が実施の形態１とは相違する。以下では、浄化モードでの動作について、図１２を用いて説明する。
【０１８６】
図１２は、本実施の形態に係る空間環境制御システム２００の動作を示すフローチャートである。
【０１８７】
まず、図１２に示されるように、スケジュール情報取得部２６５が管理装置２７０からスケジュール情報２７２を取得する（Ｓ２１０）。次に、制御部２６４は、スケジュール情報２７２に基づいて目標時刻を決定する（Ｓ２１２）。具体的には、制御部２６４は、現在時刻に最も近い目標時刻を決定する。例えば、図１１に示されるスケジュール情報２７２を取得した場合に、現在時刻が１５：００であるとき、目標時刻は１５：３０である。
【０１８８】
次に、制御部２６４は、制御内容を決定する（Ｓ２１４）。具体的には、制御部２６４は、目標時刻までの時間と、病原体濃度と、環境値の許容範囲とに基づいて、設定温度、設定湿度、次亜塩素酸又はオゾンの放出量、及び、換気量などを決定する。
【０１８９】
例えば、制御部２６４は、目標時刻までの半分の期間を利用して病原体１１の浄化を行い、残りの半分の期間を利用して環境の回復を行う。制御部２６４は、前半の期間で病原体濃度が閾値より低くなるように、第２の範囲内で、設定温度、設定湿度、次亜塩素酸又はオゾンの放出量、及び、換気量などを決定する。また、制御部２６４は、後半の期間で、悪化した環境値が第１の範囲内に収まるように、設定温度、設定湿度、次亜塩素酸又はオゾンの放出量、及び、換気量などを決定する。なお、浄化を行う前半の期間と、環境の回復を行う後半の期間とは同じ長さでなくてもよく、一方が他方より長くてもよい。前半の期間と後半の期間とは、調整機器群１５０の動作能力などに基づいて決定されてもよい。
【０１９０】
次に、制御部２６４は、決定された前半の期間で、調整機器群１５０を制御することで、空間１０の浄化を行う（Ｓ２１６）。例えば、図１３に示されるように、１５：００から１５：１５までの１５分間、空間１０を暖房及び加湿し、かつ、次亜塩素酸又はオゾンを空間１０に放出する。これにより、空間１０に存在する病原体１１の感染力を弱体化させる。なお、図１３は、本実施の形態に係る空間環境制御システム２００における期間毎の動作モードを示す図である。
【０１９１】
次に、制御部２６４は、後半の期間で、調整機器群１５０を制御することで、空間１０の環境の回復を行う（Ｓ２１８）。例えば、図１３に示されるように、１５：１５から１５：３０までの１５分間で、空間１０を冷房及び除湿し、かつ、塩素濃度又はオゾン濃度を低下させるための換気などを行う。
【０１９２】
以上のように、本実施の形態に係る空間環境制御システム２００では、空間１０に人が入ってくる前に、病原体１１の感染力の弱体化を行うことができ、かつ、悪化した環境を回復させることができる。これにより、空間１０に人が入ってきたときに、不快さを感じることが抑制され、人にとってより快適な環境が実現される。
【０１９３】
なお、本実施の形態では、浄化の後、直ちに環境の回復を行ったが、これに限らない。例えば、人が空間１０に入ってくる時刻までの期間が長い場合など、調整機器群１５０の動作を停止する期間が、浄化の後と環境の回復を始める前に含まれてもよい。また、人が空間１０に入ってくるより前の時刻に、環境の回復が完了していてもよい。
【０１９４】
また、本実施の形態では、スケジュール情報２７２に基づいて目標時刻を推定する例を示したが、目標時刻の推定方法は、これに限定されない。例えば、空間１０を出入りする人に目標時刻を入力させてもよい。
【０１９５】
図１４は、本実施の形態に係る空間環境制御システム２００における目標時刻の入力画面の一例を示す図である。図１４に示されるように、空間環境制御装置２６０は、空間１０に戻ってくる予定時刻を入力させる入力画面２６７をディスプレイ２６６に表示する。ディスプレイ２６６は、例えばタッチパネルディスプレイなどであり、ユーザから戻り予定時刻の入力を受け付ける。スケジュール情報取得部２６５は、受け付けられた戻り予定時刻を目標時刻として取得する。
【０１９６】
これにより、例えば、空間１０から一時的に出ていく人が、空間１０に戻ってくる予定時刻を入力することで、人が不在である期間に空間１０の浄化と環境の回復とを行うことができる。
【０１９７】
（他の実施の形態）
以上、１つ又は複数の態様に係る空間環境制御システム、空間環境制御装置及び空間環境制御方法について、実施の形態に基づいて説明したが、本開示は、これらの実施の形態に限定されるものではない。本開示の主旨を逸脱しない限り、当業者が思いつく各種変形を本実施の形態に施したもの、及び、異なる実施の形態における構成要素を組み合わせて構築される形態も、本開示の範囲内に含まれる。
【０１９８】
例えば、上記の実施の形態では、空間１０中を浮遊する病原体１１を検出したが、これに限らない。例えば、空間１０を形成する壁、ドア５３及び窓５４、並びに、空間１０内に配置されたテーブルなどの家具、エアコン５０及び浄化物質発生器５１などの機器の表面に付着した病原体１１を検出してもよい。
【０１９９】
また、例えば、空間１０は、壁などで閉じられた空間でなくてもよい。また、空間１０は、複数の領域に分割され、領域毎に環境値の検出及び病原体の検出などが行われてもよい。また、領域毎に、調整機器による環境の制御が行われてもよい。
【０２００】
また、例えば、病原体濃度の閾値、並びに、環境値の許容範囲の候補である第１の範囲及び第２の範囲は変更可能であってもよい。例えば、閾値及び許容範囲の候補の少なくとも１つは、時刻又は季節に基づいて変更可能であってもよい。あるいは、空間１０に存在する人に応じて、閾値及び許容範囲の候補の少なくとも１つを変更してもよい。
【０２０１】
具体的には、人センサ１４０が出力する人情報には、存在情報だけでなく、人を特定するための情報が含まれてもよい。例えば、人センサ１４０は、空間１０を撮影した画像又は映像を人情報として出力してもよい。画像又は映像を解析することにより、人の存在又は不在を判定できるだけでなく、存在する人の判別を行うこともできる。
【０２０２】
人の判別とは、空間１０に存在する人が、予め登録された複数の人の誰（すなわち、特定人）に該当するか、又は、未登録の人であるかを判定することである。あるいは、人の判別には、空間１０に存在する人が、予め設定された複数のカテゴリのいずれに該当するかを判定することであってもよい。複数のカテゴリは、例えば、年齢、性別などのカテゴリである。
【０２０３】
また、画像又は映像を解析することにより、人の着衣量を判別してもよい。着衣量に応じて快適と感じる範囲が異なるので、着衣量に応じた許容範囲を設定してもよい。
【０２０４】
また、例えば、病原体濃度の閾値、及び、環境値の許容範囲はそれぞれ、複数設けられていてもよい。
【０２０５】
また、許容範囲は、機械学習などによって更新されてもよい。例えば、人毎に、機械学習による快適な環境値の許容範囲を設定してもよい。例えば、人が空間１０に戻ってきた時にエアコン５０の設定温度などを変更した場合、このときの空間１０の温度と、変更後の設定値とを蓄積する。蓄積したデータを入力データとして、人が快適と思う温度を機械学習により判定してもよい。
【０２０６】
また、人センサ１４０は、人から明示の指示を受け取ることで、空間１０に人が存在するか否かを検知してもよい。例えば、人センサ１４０は、空間１０内に配置された制御装置６０に設けられた物理的なボタン、又は、タッチパネルディスプレイに表示されるＧＵＩ（Graphical User Interface）などで実現されてもよい。空間１０に入った人にボタンなどを押下させることにより、人センサ１４０は、人が空間１０に入ったことを検知してもよい。
【０２０７】
また、上記実施の形態で説明した装置間の通信方法については特に限定されるものではない。装置間で無線通信が行われる場合、無線通信の方式（通信規格）は、例えば、Ｚｉｇｂｅｅ（登録商標）、Ｂｌｕｅｔｏｏｔｈ（登録商標）、又は、無線ＬＡＮ（Local Area Network）などの近距離無線通信である。あるいは、無線通信の方式（通信規格）は、インターネットなどの広域通信ネットワークを介した通信でもよい。また、装置間においては、無線通信に代えて、有線通信が行われてもよい。有線通信は、具体的には、電力線搬送通信（ＰＬＣ：Power Line Communication）又は有線ＬＡＮを用いた通信などである。
【０２０８】
また、上記実施の形態において、特定の処理部が実行する処理を別の処理部が実行してもよい。また、複数の処理の順序が変更されてもよく、あるいは、複数の処理が並行して実行されてもよい。また、空間環境制御システムが備える構成要素の複数の装置への振り分けは、一例である。例えば、一の装置が備える構成要素を他の装置が備えてもよい。また、空間環境制御システムは、単一の装置として実現されてもよい。
【０２０９】
例えば、上記実施の形態において説明した処理は、単一の装置（システム）を用いて集中処理することによって実現してもよく、又は、複数の装置を用いて分散処理することによって実現してもよい。また、上記プログラムを実行するプロセッサは、単数であってもよく、複数であってもよい。すなわち、集中処理を行ってもよく、又は分散処理を行ってもよい。
【０２１０】
また、上記実施の形態において、制御部などの構成要素の全部又は一部は、専用のハードウェアで構成されてもよく、あるいは、各構成要素に適したソフトウェアプログラムを実行することによって実現されてもよい。各構成要素は、ＣＰＵ（Central Processing Unit）又はプロセッサなどのプログラム実行部が、ＨＤＤ（Hard Disk Drive）又は半導体メモリなどの記録媒体に記録されたソフトウェアプログラムを読み出して実行することによって実現されてもよい。
【０２１１】
また、制御部などの構成要素は、１つ又は複数の電子回路で構成されてもよい。１つ又は複数の電子回路は、それぞれ、汎用的な回路でもよいし、専用の回路でもよい。
【０２１２】
１つ又は複数の電子回路には、例えば、半導体装置、ＩＣ（Integrated Circuit）又はＬＳＩ（Large Scale Integration）などが含まれてもよい。ＩＣ又はＬＳＩは、１つのチップに集積されてもよく、複数のチップに集積されてもよい。ここでは、ＩＣ又はＬＳＩと呼んでいるが、集積の度合いによって呼び方が変わり、システムＬＳＩ、ＶＬＳＩ（Very Large Scale Integration）、又は、ＵＬＳＩ（Ultra Large Scale Integration）と呼ばれるかもしれない。また、ＬＳＩの製造後にプログラムされるＦＰＧＡ（Field Programmable Gate Array）も同じ目的で使うことができる。
【０２１３】
また、本開示の全般的又は具体的な態様は、システム、装置、方法、集積回路又はコンピュータプログラムで実現されてもよい。あるいは、当該コンピュータプログラムが記憶された光学ディスク、ＨＤＤ若しくは半導体メモリなどのコンピュータ読み取り可能な非一時的記録媒体で実現されてもよい。また、システム、装置、方法、集積回路、コンピュータプログラム及び記録媒体の任意な組み合わせで実現されてもよい。
【０２１４】
また、上記の各実施の形態は、請求の範囲又はその均等の範囲において種々の変更、置き換え、付加、省略などを行うことができる。
【産業上の利用可能性】
【０２１５】
本開示は、人にとっての快適性と病原体の感染力の弱体化とを両立させることができる空間環境制御システムとして利用でき、例えば、病院又は介護施設などの空調システムなどに利用することができる。
【符号の説明】
【０２１６】
１０  空間
１１  病原体
２０、１２０  病原体センサ
３０  温湿度センサ
３１  空気質センサ
４０、１４０  人センサ
５０  エアコン
５１  浄化物質発生器
５２  浄化物質
５３  ドア
５４  窓
５５  ブラインド
６０  制御装置
１００、２００  空間環境制御システム
１３０  環境センサ群
１３１  温度センサ
１３２  湿度センサ
１３３  塩素濃度センサ
１３４  オゾン濃度センサ
１３５  ＣＯ２濃度センサ
１３６  ＵＶ照度センサ
１３７  粉塵量センサ
１５０  調整機器群
１５１  温度調整機器
１５２  湿度調整機器
１５３  次亜塩素酸発生器
１５４  オゾン発生器
１５５  換気装置
１５６  ＵＶ光源
１６０、２６０  空間環境制御装置
１６１  病原体濃度情報取得部
１６２  環境情報取得部
１６３  人情報取得部
１６４、２６４  制御部
２６５  スケジュール情報取得部
２６６  ディスプレイ
２６７  入力画面
２７０  管理装置
２７１  記憶部
２７２  スケジュール情報
【図１】
2019142599.tif 000003
【図２】
2019142599.tif 000004
【図３】
2019142599.tif 000005
【図４】
2019142599.tif 000006
【図５】
2019142599.tif 000007
【図６】
2019142599.tif 000008
【図７】
2019142599.tif 000009
【図８】
2019142599.tif 000010
【図９】
2019142599.tif 000011
【図１０】
2019142599.tif 000012
【図１１】
2019142599.tif 000013
【図１２】
2019142599.tif 000014
【図１３】
2019142599.tif 000015
【図１４】
2019142599.tif 000016
【国際調査報告】
2019142599.tif 000017
2019142599.tif 000018
2019142599.tif 000019
2019142599.tif 000020